(57)【要約】【課題】有害物質を含まず、また廃棄、再生の際、地球環境への負荷が少ない表示装置および誘導灯装置を提供する。【解決手段】被取付部７、１０及び前面に設けられた開口部３を有する器具本体１と、この器具本体１の開口部３に配設され、表示面を有する表示手段１７と、この表示手段１７を照射する光源手段２０と、器具本体１に収納され、光源手段２０を点灯させる電気的部品を有する点灯手段１２と、この点灯手段１２の電源を供給するニッケル水素蓄電池と、点灯手段１２と光源手段２０及び前記ニッケル水素蓄電池を各々接続する配線コード１４、１５、３９、４０と、を備える。【選択図】        図１
2004233833.tif 000002
【特許請求の範囲】
【請求項１】
被取付部及び前面に設けられた開口部を有する器具本体と、
この器具本体の前記開口部に配設され、表示面を有する表示手段と、
この表示手段を照射する光源手段と、
前記器具本体に収納され、前記光源手段を点灯させる電気的部品を有する点灯手段と、
この点灯手段の電源を供給するニッケル水素蓄電池と、
前記点灯手段と前記光源手段及び前記ニッケル水素蓄電池を各々接続する電気的接続手段と、
を備えたことを特徴とする表示装置。
【請求項２】
被取付部及び前面に設けられた開口部を有する器具本体と、この器具本体の前記前面と背面の開口部に各々配設され、表示面を有する前面と背面の表示手段と、
これらの表示手段を各々照射する前面と背面の光源手段と、
前記器具本体に収納され、前記光源手段を点灯させる電気的部品を有する点灯手段と、
この点灯手段の電源を供給するニッケル水素蓄電池と、
前記点灯手段と前記前面と背面の光源手段及び前記ニッケル水素蓄電池を各々接続する電気的接続手段と、
を備えたことを特徴とする表示装置。
【請求項３】
ニッケル水素蓄電池の代りに電気二重層コンデンサを用いたことを特徴とする請求項１または２記載の表示装置。
【請求項４】
電気二重層コンデンサを急速充電するための電気回路を備えたことを特徴とする請求項３記載の表示装置。
【請求項５】
ニッケル水素蓄電池の代りに燃料電池を用いたことを特徴とする請求項１または２記載の表示装置。
【請求項６】
光源手段にＬＥＤを用いたことを特徴とする請求項１ないし５のいずれかに記載の表示装置。
【請求項７】
光源手段に水銀レス蛍光ランプを用いたことを特徴とする請求項１ないし５のいずれかに記載の表示装置。
【請求項８】
表示手段に導光板を用いたことを特徴とする請求項１ないし７のいずれかに記載の表示装置。
【請求項９】
器具本体内の被取付部に設けられた補強板と、
電気的部品を前記器具本体に取付けるための取付板と、
点灯手段を収容するケースとを備え、
前記補強板、前記点灯手段のケース及び前記取付板の少なくともいずれかが、クロムフリー鋼板からなることを特徴とする請求項１ないし８のいずれかに記載の表示装置。
【請求項１０】
点灯手段のケースをクロムフリー鋼板の代わりに生分解性プラスチックとしたことを特徴とする請求項９記載の表示装置。
【請求項１１】
器具本体、表示手段、光源手段の少なくとも一部が、生分解性プラスチックからなることを特徴とする請求項１ないし１０のいずれかに記載の表示装置。
【請求項１２】
電気的接続手段は配線コードを有し、前記配線コードがハロゲンフリー電線であることを特徴とする請求項１ないし１１のいずれかに記載の表示装置。
【請求項１３】
光源手段と点灯手段内の電気的部品並びに電気接続手段のハンダ付けは鉛フリーハンダを使用したことを特徴とする請求項１ないし１２のいずれかに記載の表示装置。
【請求項１４】
点灯手段の電気的部品は、ニッケル水素蓄電池を間欠充電するための電気回路を有することを特徴とする請求項１ないし１３のいずれかに記載の表示装置。
【請求項１５】
請求項１ないし１４記載のいずれかの表示装置の表示手段の表示面に誘導表示パネルを備えたことを特徴とする誘導灯装置。
【発明の詳細な説明】
【０００１】
【発明の属する技術分野】
この発明は、地球環境に対する負荷を軽減した表示装置及び誘導灯装置に関する。
【０００２】
【従来の技術】
従来の誘導灯装置は、太陽電池にて発電された電力を貯えるニッケルカドミウム電池等の蓄電池と、非常事態発生時に非常時発光体をＯＮする非常時スイッチとを備えている（例えば特許文献１）。
また、従来の誘導灯は、冷陰極放電灯と、インバータ回路部と、蓄電池とを備え、冷陰極放電灯が予め規定されているランプ特性を満足できない状態になったとき冷陰極放電灯を消灯させてランプ交換を促すようにしている（例えば特許文献２）。
【０００３】
【特許文献１】
特許第２９０２８０５号公報（段落００１０、図１）
【特許文献２】
特開平９−２８９０９０号公報（段落００１４−００１８、図１）
【０００４】
【発明が解決しようとする課題】
しかしながら、上述の従来の誘電灯装置（特許文献１）は、ニッケルカドミウム蓄電池が使用されており、ニッケルカドミウム蓄電池を廃却する場合、カドミウムを環境に影響を与えない処理を行うために要する負担が大きいという問題があった。また、従来の誘電灯装置（特許文献２）は光源として冷陰極放電灯が使用しているので、冷陰極放電灯は水銀を含むため、環境に影響を与えない処理を行うために要する負担が大きいという問題があった。
【０００５】
また、電気部品や配線コードのはんだ付け、器具本体や表示手段等の材料、板金部品等のめっき及び配線コードの材料については特許文献１、２のいずれも明示されてないが、一般的に従来は、はんだは鉛ハンダが使用され、器具本体や表示手段等の材料はＡＢＳ樹脂等の石油化学系樹脂が使用され、板金部品等のめっきは亜鉛めっき鋼板が使用され、配線コードは塩化ビニール電線が使用されており、廃棄や再生処理の際に環境に影響を与えない処理を行うために要する負担が大きいという問題があった。
さらに、従来の誘導灯は、点灯手段の電気回路はニッケルカドミウム蓄電池をトリクル充電（連続充電）をするのが一般的なので、充電に要する電力が大きいという問題があった。
【０００６】
この発明は上記のような問題点を解消するためになされたもので、有害物質を含まず、また廃棄、再生の際、地球環境への負荷が少ない表示装置および誘導灯装置を提供することを目的とする。
【０００７】
【課題を解決するための手段】
この発明に係る表示装置は、被取付部及び前面に設けられた開口部を有する器具本体と、この器具本体の前記開口部に配設され、表示面を有する表示手段と、この表示手段を照射する光源手段と、前記器具本体に収納され、前記光源手段を点灯させる電気的部品を有する点灯手段と、この点灯手段の電源を供給するニッケル水素蓄電池と、前記点灯手段と前記光源手段及び前記ニッケル水素蓄電池を各々接続する電気的接続手段と、を備えたものである。
【０００８】
【発明の実施の形態】
実施の形態１．
図１はこの発明の実施の形態１を示す誘導灯装置の分解斜視図である。図１において、誘導灯装置は、樹脂製の器具本体１を有し、この樹脂は少なくとも一部が生分解性プラスチックからなる。生分解性プラスチックは、植物が主原料のプラスチックで自然界で分解され最終的には水と二酸化炭素に分解し、また、焼却してもダイオキシンなどの有害物質が発生しない、地球環境に対する負荷が少ないプラスチックである。この器具本体１には、周囲に四角形状の枠部２を有しこの枠部２の前面側には開口部３が形成され枠部２の背面側は背面板４で閉塞され、これら枠部２及び背面板４で閉塞された部分には電気部品収納部５が形成されている。
【０００９】
枠部２の上辺の内面側には天井取付用補強板８が取付けられ、天井面などに取付ける際に使用する電源線挿通孔６およびネジ穴である被取付部７が枠部２の上辺と共にそれぞれ形成されている。この天井取付用補強板８はクロムフリー鋼板からなる。
【００１０】
さらに、背面板４の内面側には壁取付用補強板１１が取付けられ、壁面などに取付ける際に必要な電源線挿通孔９、および、ネジ穴である被取付部１０が背面板４と共にそれぞれ開口形成されている。また、壁取付用補強板１１はクロムフリー鋼板からなる。
なお、これらの電源線挿通孔６、９およびネジ穴である被取付部７、１０はノックアウト構造で形成されてもよい。
【００１１】
電気部品収納部５には、点灯回路基板、蓄電池充電回路基板、電気部品、電子部品、電線、コネクタ等の電気的部品を有しケース１２ａに収納された点灯手段１２が設けられ、点灯手段１２の上部には端子台１３が設けられ、端子台１３と点灯手段１２の間は電気的接続手段である配線コード１４にて電気的に接続されている。さらに、点灯手段１２からは先端に電気接続手段であるコネクタを有する配線コード１５、３９が引き出されている。
これらの配線コード１４、１５はハロゲン元素、鉛化合物、リンを含まないハロゲンフリー電線である。なお、蓄電池充電回路は、後述の蓄電池を定期的に充電と休止を繰り返す間欠充電を行う機能を有する。
また、点灯手段１２のケースはクロムフリー鋼板、または、生分解性プラスチックからなる。
【００１２】
また、点灯手段１２の近傍には蓄電池１６が取付板４１で取付けられる。この蓄電池はニッケル水素蓄電池であり、カドミウムを含まない２次電池である。
さらに、蓄電池としてニッケル水素蓄電池の代りに電気二重層コンデンサを用いてもよい。電気二重層コンデンサの主要材料は活性炭で、有害物質を含まないため、廃棄時に地球環境に対する負荷が少なく、環境を損なわない。
このとき、電気二重層コンデンサを急速充電するための電気回路を備えるのが望ましい。
また、蓄電池として燃料電池を用いてもよい。  燃料電池は水素と酸素の反応で電力と水を発生させるので、地球環境を損なわない。
【００１３】
器具本体１の枠部２の前面側の開口部３には，開口部３を一部閉塞する表示手段１７が設けられ、表示手段１７は、表面に設けられ、誘導表示であるピクトグラムが表示された表示パネル１８と表示パネル１８の背面に設けられた導光体としての導光板１９から構成される。
この導光板１９により後述の光源手段２０からの光を面状に変換し、表示パネル１８をほぼ均一に照明することができ、誘導灯装置としてむらのない表示面を得ることができる。
【００１４】
光源手段２０は、表示手段１７の一辺に配設されるが、この光源手段にはＬＥＤ２１が光源として用いられる。ＬＥＤは一般に水銀を含んでいない。この光源手段２０には図示しない先端にコネクタを有する配線コードが設けられ、点灯手段１２と電気的に接続される。
【００１５】
なお、光源手段２０、点灯手段１２内の電気的部品、コネクタと電気配線コードからなる電気接続手段のハンダ付けは鉛フリーハンダを使用している。
また、表示手段１７、光源手段２０等は少なくとも一部が生分解性プラスチックからなるようにしている。
また、ＬＥＤ２１の代わりに水銀レス蛍光ランプを使用してもよい。例えばキセノン等の希ガスを管内に封入した希ガス蛍光ランプを使用する。
【００１６】
次に、器具本体１を壁面に取り付ける場合について説明する。まず、枠部２の上板の電源線挿通孔６、被取付部７、はいずれもノックアウトせずぞのままとし、背面板４の電源線挿通孔９、被取付部１０、はいずれもノックアウトして開口する。そして、器具本体１の枠部２の被取付部１０に内部からねじを挿通し、ねじにより壁面に器具本体２を取り付け、電源線挿通孔９から電源線を導入し、端子台１３に接続する。次に、点灯手段１２の配線コード３９と光源手段２０に接続された配線コード（図示せず）をコネクタを介して接続する。また、蓄電池１６の配線コード４０と点灯手段１２の配線コード１５をコネクタを介して接続する。そして、表示手段１７、および光源手段２０を器具本体１の開口部３に取り付ける。
【００１７】
以上のように、蓄電池はニッケル水素蓄電池を使用したので、廃棄、再生処理の際環境に与える負担が少なくなる。
また、電気二重層コンデンサを用いたので、廃棄、再生処理の際環境に与える負担が少なくなる。
また、電気二重層コンデンサを急速充電するための電気回路を備えたので、簡単に充電することができる。
また、光源手段にＬＥＤ、または、水銀レス蛍光ランプを用いたことにより、廃棄、再生処理の際環境に与える負担が少なくなる。
また、表示手段に導光板を用いたことにより、均一な表示面を得ることができる。
【００１８】
さらに、補強板ないし点灯手段のケースないし電気部品を器具本体に取付けるための取付板が、クロムフリー鋼板からなることにより、廃棄、再生処理の際環境に与える負担が少なくなる。
また、器具本体ないし表示手段の少なくとも一部が、生分解性プラスチックからなるので、廃棄、再生処理の際環境に与える負担が少なくなる。
また、配線コードが、ハロゲンフリー電線であることにより、廃棄、再生処理の際環境に与える負担が少なくなる。
【００１９】
また、光源手段ないし点灯手段内の電気回路基板が鉛フリーハンダを使用していることにより、廃棄、再生処理の際環境に与える負担が少なくなる。
また、点灯手段１２が蓄電池を間欠充電するための電気回路を備えたので、従来の連続して充電を行うトリクル充電に比べて充電のために使用する電力を抑制でき、消費電力を少なくすることができる。
また、表示手段の表示面に誘導表示パネルを備えたので、上述のそれぞれの効果の他に、むらの無い表示面を有する誘導灯装置を得ることができる。
【００２０】
実施の形態２．
本実施の形態は、前面と背面側に表示手段を設けたものである。図２はこの発明の実施の形態２を示す誘導灯装置の斜視図である。図２において、実施の形態１の図１と同一、または、相当部分には同一の符号を付し説明を省略する。
誘導灯装置の器具本体１の背面板４には、前面側に配置された表示手段１７と同一、または、ほぼ同一形状の表示手段３１が設けられ、この表示手段３１の表面には誘導表示であるピクトグラムが表示された表示パネル３２が設けられ、表示パネル３２の背面には導光体としての導光板３３が設けられている。
【００２１】
さらに、背面側の表示手段３１の一辺には光源手段３４が配設され、この光源手段３４には水銀を含まないＬＥＤが光源として用いられる。この光源手段３４には図示しない先端にコネクタを有する電気的接続手段としての配線コードが設けられ、点灯手段１２と電気的に接続される。
また、ＬＥＤ光源を用いた光源手段３４における電気回路基板には鉛フリーハンダを使用している。
【００２２】
以上のように、前面と背面に表示手段１７、３１および光源手段２０、３４を各々設け、一つの点灯手段１２で二つの光源手段２０，３４を点灯することができる他、実施の形態１と同様な効果を得ることができる。
なお、実施の形態１、２では、誘導装置を示したが、表示手段１７または表示手段３１の表面に誘導表示のピクトグラムでなく、他の表示ができる表示パネルとして表示装置としてもよい。
【００２３】
【発明の効果】
以上のように、この発明によれば、被取付部及び前面に設けられた開口部を有する器具本体と、この器具本体の前記開口部に配設され、表示面を有する表示手段と、この表示手段を照射する光源手段と、前記器具本体に収納され、前記光源手段を点灯させる電気的部品を有する点灯手段と、この点灯手段の電源を供給するニッケル水素蓄電池と、前記点灯手段と前記光源手段及び前記ニッケル水素蓄電池を各々接続する電気的接続手段と、を備えたので、廃棄、再生処理の際環境に与える負担を少なくすることができる。
【図面の簡単な説明】
【図１】この発明の実施の形態１を示す誘導灯装置の分解斜視図である。
【図２】この発明の実施の形態２を示す誘導灯装置の分解斜視図である。
【符号の説明】
１  器具本体、３、開口部、７、１０  被取付部、１２  点灯手段、１２ａ  ケース、１６  蓄電池、１７、３１  表示手段、１４、１５、３９、４０、配線コード、１８、３２  表示パネル、１９、３３  導光板、２０、３４光源手段、２１  ＬＥＤ、４１  取付板。
【図１】
2004233833.tif 000003
【図２】
2004233833.tif 000004